(57)【要約】【課題】空調対象空間の床面の清掃を容易に行うことができる床置き空気調和装置を提供する。【解決手段】床置き空気調和装置１は、ケース２と、空調部３と、ゴミ排出部６とを備えている。空調部３は、ケース２の内部に収納されている。空調部３は、空調対象空間の空気の調和を行う。ゴミ排出部６は、ケース２の内部における空調部３の下側に収納されている。しかも、ゴミ排出部６は、空調対象空間の床面のゴミを排出する。ゴミ排出部６は、空調対象空間の床面の高さに配置されたゴミ入口１０を有する。【選択図】図２
2008014608.tif 000002
【特許請求の範囲】
【請求項１】
ケース（２）と、
前記ケース（２）の内部に収納され、空調対象空間の空気の調和を行う空調部（３）と、
前記ケース（２）の内部における前記空調部（３）の下側に収納され、かつ、前記空調対象空間の床面のゴミを排出するゴミ排出部（６）と、
を備えており、
前記ゴミ排出部（６）は、前記空調対象空間の床面の高さに配置されたゴミ入口（１０）を有する、
床置き空気調和装置（１）。
【請求項２】
前記ケース（２）は、前記空調対象空間の壁から前記空調対象空間の外部へ張り出した出窓に嵌め込まれて取り付けられている、
請求項１に記載の床置き空気調和装置（１）。
【請求項３】
前記ケース（２）は、前記出窓の下方にゴミを排出する下方ゴミ出口（１２）を有する、
請求項２に記載の床置き空気調和装置（１）。
【請求項４】
前記ケース（２）は、前記出窓の側周方向にゴミを排出する側方ゴミ出口（１６）を有する、
請求項２に記載の床置き空気調和装置（１）。
【請求項５】
前記ゴミ入口を開閉する開閉手段（１１）をさらに備えている、
請求項１から４のいずれかに記載の床置き空気調和装置（１）。
【請求項６】
前記空調対象空間と前記空調対象空間の外部との間の空気流れを生成する第１送風手段（１４、２０、２５）をさらに備えている、
請求項１から５のいずれかに記載の床置き空気調和装置（１）。
【請求項７】
前記第１送風手段（１４、２０、２５）は、前記空調対象空間から前記空調対象空間の外部へ空気を排気する空気流れを生成する、
請求項６に記載の床置き空気調和装置（１）。
【請求項８】
前記第１送風手段（２０）によって生成される空気流れを、所定の方向に切り換える空気流れ切換え手段（２１）をさらに備えている、
請求項６に記載の床置き空気調和装置（１）。
【請求項９】
前記空気流れ切換え手段（２１）は、前記空気流れを、前記空調対象空間から前記空調対象空間の外部へ排気する第１方向または前記空調対象空間へ給気する第２方向のうちのいずれかに切り換える、
請求項８に記載の床置き空気調和装置（１）。
【請求項１０】
前記空気流れ切換え手段（２１）は、前記空気流れを、前記空調対象空間から前記空調対象空間の外部へ排気する第１方向、前記空調対象空間の外部から前記空調対象空間へ給気する第２方向、または前記空調対象空間の外部から前記空調部（３）へ給気する第３方向のうちのいずれかに切り換える、
請求項８に記載の床置き空気調和装置（１）。
【請求項１１】
前記第１送風手段（２５）とは別に、前記空調対象空間の外部から前記空調対象空間へ空気を給気する第２送風手段（２６）をさらに備えている、
請求項６から１０のいずれかに記載の床置き空気調和装置（１）。
【請求項１２】
前記第２送風手段（２６）は、前記空調部（３）の上側または下側のいずれかに配置されている、
請求項１１に記載の床置き空気調和装置（１）。
【請求項１３】
前記第１送風手段（２５）によって排気される排出空気と前記第２送風手段（２６）によって給気される吸入空気との間の熱交換を行う熱交換器（３３）をさらに備えている、
請求項１１または１２に記載の床置き空気調和装置（１）。
【請求項１４】
ゴミを前記空調対象空間の外部に排出するゴミ排出モードとゴミを排出しないで前記空調対象空間内部の空気の給排気を行なう給排気モードとを切り換えるモード切換え手段（３４）をさらに備えている、
請求項１３に記載の床置き空気調和装置（１）。
【請求項１５】
前記空調部（３）が室内外一体型のシステムである、
請求項１から１４のいずれかに記載の床置き空気調和装置（１）。
【発明の詳細な説明】
【技術分野】
【０００１】
本発明は、床置き空気調和装置に関する。
【背景技術】
【０００２】
従来より、居室等の空調対象空間の床面に設置された床置き空気調和装置がある（特許文献１参照）。このような床置き空気調和装置は、居室等の床面に設置された状態で、居室内の冷房、暖房、または空気清浄等の空気調和を行う。床置き空気調和装置は、室内の空気を循環させたり、その室内空気の全部または一部を室外の空気と交換させながら空気調和を行う。
【特許文献１】特開２００６−６４２１９号公報
【発明の開示】
【発明が解決しようとする課題】
【０００３】
従来の床置き空気調和装置は、室内の空気を循環させたり、その室内空気の全部または一部を室外の空気と交換させながら空気調和を行うが、居室等の床面のゴミを排出する機能を有していない。したがって、居室等の床面を清掃する場合には、居室等の床面のゴミを別途掃除機またはちりとり等で捕集し、室外へ排出する必要がある。そのため、空調対象空間の床面の清掃を容易に行うことができない。
【０００４】
とくに、床置き空気調和装置が室内空気を吸い込む時に小さいゴミや塵を引き寄せやすいため、または、ユーザが床置き空気調和装置の正面付近に居る可能性が高いなどの理由により、床置き空気調和装置の正面付近の床面には、ゴミが集まりやすい傾向がある。
【０００５】
本発明の課題は、空調対象空間の床面の清掃を容易に行うことができる床置き空気調和装置を提供することにある。
【課題を解決するための手段】
【０００６】
第１発明の床置き空気調和装置は、ケースと、空調部と、ゴミ排出部とを備えている。空調部は、ケースの内部に収納されている。空調部は、空調対象空間の空気の調和を行う。ゴミ排出部は、ケースの内部における空調部の下側に収納されている。しかも、ゴミ排出部は、空調対象空間の床面のゴミを排出する。ゴミ排出部は、空調対象空間の床面の高さに配置されたゴミ入口を有する。
【０００７】
ここでは、空調部の下部にゴミ排出部を備え、ゴミ排出部が空調対象空間の床面の高さに配置されたゴミ入口を有しているので、空調対象空間の床面の清掃を容易に行うことが可能である。
【０００８】
第２発明の床置き空気調和装置は、第１発明の床置き空気調和装置であって、ケースは、出窓に嵌め込まれて取り付けられている。出窓は、空調対象空間の壁から空調対象空間の外部へ張り出している。
【０００９】
ここでは、ケースが空調対象空間の壁から空調対象空間の外部へ張り出している出窓に嵌め込まれて取り付けられているので、空調対象空間の床面に床置き空気調和装置の設置スペースが不要になり、空調対象空間の空間を有効に活用することが可能である。
【００１０】
第３発明の床置き空気調和装置は、第２発明の床置き空気調和装置であって、ケースは、出窓の下方にゴミを排出する下方ゴミ出口を有する。
【００１１】
ここでは、ケースが出窓の下方にゴミを排出する下方ゴミ出口を有するので、空調対象空間の外部に容易にゴミを廃棄することが可能である。
【００１２】
第４発明の床置き空気調和装置は、第２発明の床置き空気調和装置であって、ケースは、出窓の側周方向にゴミを排出する側方ゴミ出口を有する。
【００１３】
ここでは、ケースが出窓の下方にゴミを排出する側方ゴミ出口を有するので、空調対象空間の外部に容易にゴミを廃棄することが可能である。
【００１４】
第５発明の床置き空気調和装置は、第１発明から第４発明のいずれかの床置き空気調和装置であって、ケースは、ゴミ入口を開閉する開閉手段をさらに有している。
【００１５】
ここでは、ケースがゴミ入口を開閉する開閉手段をさらに有しているので、空調対象空間の床面の清掃をしないときにはゴミ入口を閉じることが可能である。
【００１６】
第６発明の床置き空気調和装置は、第１発明から第５発明のいずれかの床置き空気調和装置であって、空調対象空間と空調対象空間の外部との間の空気流れを生成する第１送風手段をさらに備えている。
【００１７】
ここでは、空調対象空間とその外部との間の空気流れを生成する第１送風手段をさらに備えているので、空気流れを利用して空調対象空間の床面の清掃をさらに容易に行うことが可能である。
【００１８】
第７発明の床置き空気調和装置は、第６発明の床置き空気調和装置であって、第１送風手段は、空調対象空間から空調対象空間の外部へ空気を排気する空気流れを生成する。
【００１９】
ここでは、第１送風手段が空調対象空間からその外部へ空気を排気する空気流れを生成するので、空気流れを利用して空調対象空間の床面の清掃をさらに容易に行うことが可能である。
【００２０】
第８発明の床置き空気調和装置は、第６発明の床置き空気調和装置であって、第１送風手段によって生成される空気流れを、所定の方向に切り換える空気流れ切換え手段をさらに備えている。
【００２１】
ここでは、第１送風手段によって生成される空気流れを所定の方向に切り換える空気流れ切換え手段をさらに備えているので、第１送風手段によって生成される空気流れを利用してゴミの排出および給気に利用することが可能である。
【００２２】
第９発明の床置き空気調和装置は、第８発明の床置き空気調和装置であって、空気流れ切換え手段は、空気流れを、空調対象空間から空調対象空間の外部へ排気する第１方向または空調対象空間へ給気する第２方向のうちのいずれかに切り換える。
【００２３】
ここでは、空気流れ切換え手段が空気流れを空調対象空間からその外部へ排気する第１方向または空調対象空間へ給気する第２方向のうちのいずれかに切り換えるので、第１送風手段によって生成される空気流れを利用してゴミの排出および給気に利用することが可能である。
【００２４】
第１０発明の床置き空気調和装置は、第８発明の床置き空気調和装置であって、空気流れ切換え手段は、空気流れを、空調対象空間から空調対象空間の外部へ排気する第１方向、空調対象空間の外部から空調対象空間へ給気する第２方向、または空調対象空間の外部から空調部へ給気する第３方向のうちのいずれかに切り換える。
【００２５】
ここでは、空気流れ切換え手段が空気流れを空調対象空間からその外部へ排気する第１方向、空調対象空間の外部から空調対象空間へ給気する第２方向、または空調対象空間の外部から空調部へ給気する第３方向のうちのいずれかに切り換えるので、第１送風手段によって生成される空気流れを利用してゴミの排出および給気だけでなく、新鮮な外気を取り入れながらの空気調和に利用することが可能である。
【００２６】
第１１発明の床置き空気調和装置は、第６発明から第１０発明のいずれかの床置き空気調和装置であって、第１送風手段とは別に、空調対象空間の外部から空調対象空間へ空気を給気する第２送風手段をさらに備えている。
【００２７】
ここでは、第１送風手段とは別に、空調対象空間の外部から空調対象空間へ空気を給気する第２送風手段をさらに備えているので、空調部とは別に空調対象空間への外気の導入を行うことが可能である。
【００２８】
第１２発明の床置き空気調和装置は、第１１発明の床置き空気調和装置であって、第２送風手段は、空調部の上側または下側のいずれかに配置されている。
【００２９】
ここでは、第２送風手段が空調部の上側または下側のいずれかに配置されているので、空調部とは別に空調対象空間への外気の導入を行うことが可能である。また、空調部の吹出し空気とともに外気を導入することも可能である。
【００３０】
第１３発明の床置き空気調和装置は、第１１発明または第１２発明の床置き空気調和装置であって、熱交換器をさらに備えている。熱交換器は、第１送風手段によって排気される排出空気と第２送風手段によって給気される吸入空気との間の熱交換を行う。
【００３１】
ここでは、第１送風手段によって排気される排出空気と第２送風手段によって給気される吸入空気との間の熱交換を行う熱交換器をさらに備えているので、床置き空気調和装置の空調性能を向上させることが可能になる。
【００３２】
第１４発明の床置き空気調和装置は、第１３発明の床置き空気調和装置であって、モード切換え手段をさらに備えている。モード切換え手段は、ゴミ排出モードと給排気モードとを切り換える。ゴミ排出モードは、ゴミを空調対象空間の外部に排出する。給排気モードは、ゴミを排出しないで空調対象空間内部の空気の給排気を行なう。
【００３３】
ここでは、モード切換え手段をさらに備えているので、ゴミを空調対象空間の外部に排出するゴミ排出モードとゴミを排出しないで空調対象空間内部の空気の給排気を行なう給排気モードとを切り換えることが可能である。
【００３４】
第１５発明の床置き空気調和装置は、第１発明から第１４発明のいずれかの床置き空気調和装置であって、空調部が室内外一体型のシステムである。
【００３５】
ここでは、空調部が室内機と室外機とが一体になった室内外一体型であるので、床置き空気調和装置は、小型の構成になり、空調対象空間のレイアウトに合わせて移動が可能である。
【発明の効果】
【００３６】
第１発明によれば、空調対象空間の床面の清掃を容易に行うことができる。
【００３７】
第２発明によれば、空調対象空間の床面に床置き空気調和装置の設置スペースが不要になり、空調対象空間の空間を有効に活用することができる。
【００３８】
第３発明によれば、空調対象空間の外部に容易にゴミを廃棄することができる。
【００３９】
第４発明によれば、空調対象空間の外部に容易にゴミを廃棄することができる。
【００４０】
第５発明によれば、空調対象空間の床面の清掃をしないときにはゴミ入口を閉じることができる。
【００４１】
第６発明によれば、空気流れを利用して空調対象空間の床面の清掃をさらに容易に行うことができる。
【００４２】
第７発明によれば、空気流れを利用して空調対象空間の床面の清掃をさらに容易に行うことができる。
【００４３】
第８発明によれば、第１送風手段によって生成される空気流れを利用してゴミの排出および給気に利用することができる。
【００４４】
第９発明によれば、第１送風手段によって生成される空気流れを利用してゴミの排出および給気に利用することができる。
【００４５】
第１０発明によれば、第１送風手段によって生成される空気流れを利用してゴミの排出および給気だけでなく、新鮮な外気を取り入れながらの空気調和に利用することができる。
【００４６】
第１１発明によれば、空調部とは別に空調対象空間への外気の導入を行うことができる。
【００４７】
第１２発明によれば、空調部とは別に空調対象空間への外気の導入を行うことができる。また、空調部の吹出し空気とともに外気を導入することもできる。
【００４８】
第１３発明によれば、床置き空気調和装置の空調性能を向上させることができる。
【００４９】
第１４発明によれば、ゴミを空調対象空間の外部に排出するゴミ排出モードとゴミを排出しないで空調対象空間内部の空気の給排気を行なう給排気モードとを切り換えることができる。
【００５０】
第１５発明によれば、床置き空気調和装置は、小型の構成になり、空調対象空間のレイアウトに合わせて移動ができる。
【発明を実施するための最良の形態】
【００５１】
〔第１実施形態〕
本発明の第１実施形態に係る床置き空気調和装置１は、図１〜図２に示されるように、居室等の空調対象空間である居室Ｒの床面Ｆに設置された床置き空気調和装置である。床置き空気調和装置１は、居室Ｒの床面Ｆと同一の高さであって、居室Ｒの壁から居室Ｒの外部へ張り出した出窓Ｂに嵌め込まれて取り付けられている
床置き空気調和装置１は、主として、ケース２と、空調部３と、ゴミ排出部６とを備えている。空調部３およびゴミ排出部６は、ケース２の内部に収納されている。また、ケース２の居室Ｒ側の正面には、吸込口８、吹出口９およびゴミ入口１０が開口している。ケース２の出窓Ｂの下方側には、下方ゴミ出口１２が開口している。
【００５２】
空調部３は、ケース２の内部に収納され、空調対象空間である居室Ｒの空気の調和を行う。空調部３は、一般的な室内外一体型（すなわち、室内機と室外機とが一体になったタイプ）の床置き空調機の主要部と同様に、送風ファン４と、熱交換器５とを有している。送風ファン４は、クロスフローファンから構成されており、居室Ｒ内の空気をケース２の吸込口８を通じてケース２内に吸入し、吹出口９から調和空気を吹き出す空気流れＡｃを生成する。吸込口８から吸入された空気は、送風ファン４を通って、熱交換器５に流れる。熱交換器５では、空気は、冷媒と熱交換されて冷却または加熱されて調和空気となる。その後、調和空気は、ケース２の正面上部の吹出口９から居室Ｒへ吹き出す。
【００５３】
ゴミ排出部６は、ケース２の内部における空調部３の下側に収納されている。ゴミ排出部６は、空調対象空間である居室Ｒの床面ＦのゴミＧを排出する。ゴミ排出部６は、居室Ｒの床面Ｆの高さに配置されたゴミ入口１０を有している。ゴミ入口１０は、居室Ｒの床面Ｆの清掃時には蓋１１を開けて開口され、清掃しない時には蓋１１によって閉じられる。蓋１１は、手動で開閉されるが、床置き空気調和装置１のリモコン等を操作して自動で開閉するようにしてもよい。
【００５４】
また、ゴミ排出部６は、ゴミ入口１０とケース２の出窓Ｂの下方側の下方ゴミ出口１２との間を連通する空間部７を有している。下方ゴミ出口１２には、網状の保護部材１３が取り付けられている。
【００５５】
居室Ｒの床面Ｆの清掃時には、蓋１１を開けた後、ホウキまたはモップ等の掃き出し手段Ｓによって、ゴミＧをケース２の正面下側のゴミ入口１０へ入れる。これにより、ゴミＧは、図１〜２の矢印Ｂ１方向に沿って、空間部７を経由して出窓Ｂの下方側の下方ゴミ出口１２から居室Ｒの外部へ排出される。
【００５６】
下方ゴミ出口１２から居室Ｒの外部へ排出されたゴミＧは、居室Ｒの外部に容易に廃棄することが可能である。また、居室Ｒの外部に設置されたゴミ箱等に容易に捕集することも可能である。
【００５７】
〔第１実施形態の特徴〕
（１）
第１実施形態の床置き空気調和装置１は、ケース２の内部における空調部３の下側に収納され、かつ、居室Ｒの床面ＦのゴミＧを排出するゴミ排出部６を備えており、ゴミ排出部６は、居室Ｒの床面Ｆの高さに配置されたゴミ入口１０を有するので、床面のゴミＧをゴミ入口１０を通して居室Ｒの外部へホウキなどによって容易に排出することができる。これにより、居室Ｒの床面Ｆの清掃を容易に行うことが可能である。
【００５８】
（２）
第１実施形態の床置き空気調和装置１では、ケース２が出窓Ｂの下方にゴミＧを排出する下方ゴミ出口１２を有するので、居室Ｒの外部にゴミＧを容易に廃棄することが可能であり、また、居室Ｒの外部に設置されたゴミ箱等に容易に捕集することが可能である。
【００５９】
（３）
第１実施形態の床置き空気調和装置１は、ケース２が出窓Ｂに取り付けられているので、居室Ｒの床面Ｆに床置き空気調和装置１の設置スペースが不要になり、居室Ｒの空間を有効に活用することが可能である。
【００６０】
（４）
第１実施形態の床置き空気調和装置１は、空調部３が室内機と室外機とが一体になった室内外一体型であるので、床置き空気調和装置１は、小型の構成になり、かつ、部屋のレイアウトに合わせて移動が可能である。
【００６１】
（５）
第１実施形態の床置き空気調和装置１は、ゴミ入口１０を開閉する開閉手段として蓋１１を備えているので、床面の清掃をしないときにはゴミ入口１０を閉じることが可能である。
【００６２】
〔第１実施形態の変形例〕
（Ａ）
第１実施形態の床置き空気調和装置１では、下方ゴミ出口１２を通して居室Ｒの外部へゴミＧを排出しているのが、本発明はこれに限定されるものではなく、ゴミ入口１０を通して排出されたゴミＧをゴミ排出部６の空間部７に貯めておいてもよい。この場合も、居室Ｒの床面Ｆの清掃を容易に行うことが可能である。
【００６３】
なお、空間部７にゴミＧを貯め込む場合には、空間部７の内部に紙パックなどの捕集手段を装着しておけば、貯め込まれたゴミＧを容易に廃棄することが可能になる。
【００６４】
〔第２実施形態〕
本発明の第２実施形態に係る床置き空気調和装置１は、図３に示されるように、ゴミ排出部６の空間部７の内部に、第１送風ファン１４をさらに備えている点で、第１実施形態の床置き空気調和装置１と異なっているが、その他の構成については第１実施形態の床置き空気調和装置１の構成と共通している。
【００６５】
第１送風ファン１４は、空調対象空間である居室Ｒと居室Ｒの外部との間の空気流れを生成するクロスフローファンである。第２実施形態の第１送風ファン１４は、居室Ｒから居室Ｒの外部へ空気を排気する空気流れＡ０を生成する。
【００６６】
居室Ｒの床面Ｆに有るゴミＧは、第１送風ファン１４によって生成される空気流れＡ０によって、ゴミ入口１０から空間部７を経由して出窓Ｂの下方側の下方ゴミ出口１２を通して居室Ｒの外部へ排出される。
【００６７】
第１送風ファン１４の運転・停止は、床置き空気調和装置１の操作パネルまたは操作リモコンを操作することによって制御される。また、定期的に自動運転するようにしてもよい。
【００６８】
〔第２実施形態の特徴〕
（１）
第２実施形態に係る床置き空気調和装置１は、ゴミＧを排出する空気流れＡ０を生成する第１送風ファン１４をさらに備えているので、ホウキなどによってゴミＧを排出する作業が不要になり、居室Ｒの床面Ｆの清掃をさらに容易に行うことが可能である。
【００６９】
〔第２実施形態の変形例〕
（Ａ）
第２実施形態に係る床置き空気調和装置１では、ゴミＧを出窓Ｂの下方側の下方ゴミ出口１２から居室Ｒの外部へ排出しているが、本発明はこれに限定されるものではない。第２実施形態の他の変形例として、図４に示されるように、ケース２が出窓Ｂの側周方向にゴミＧを排出する側方ゴミ出口１６を有するようにしてもよい。図４の側方ゴミ出口１６および空間部７に通じる連絡通路１５には、それぞれ網状の保護部材１７が取り付けられている。
【００７０】
これにより、ごみＧは、第１送風ファン１４によって生成された空気流れＡ０によって、側方ゴミ出口１６を通して出窓Ｂの側周方向から排出されるので、居室Ｒの外部に容易に廃棄することが可能である。しかも、居室Ｒがマンション等の集合住宅の部屋の場合には、他の部屋から排出されたゴミＧを共通のダクトを通して効率よく回収することが可能になる。
【００７１】
〔第３実施形態〕
本発明の第３実施形態に係る床置き空気調和装置１は、図５〜図７に示されるように、ゴミ入口１０および下方ゴミ出口１２を有するゴミ排出部６の構成要素として、第１送風ファン２０および空気流れ切換え機構２１をさらに備えている点で、第１実施形態の床置き空気調和装置１と異なっているが、その他の構成については第１実施形態の床置き空気調和装置１の構成と共通している。すなわち、ゴミ入口１０および下方ゴミ出口１２を有するゴミ排出部６は、第１送風ファン２０および空気流れ切換え機構２１によって構成されている。
【００７２】
第１送風ファン２０は、空調対象空間である居室Ｒと居室Ｒの外部との間の空気流れＡ１〜Ａ３（図５〜図７参照）を生成するクロスフローファンである。
【００７３】
空気流れ切換え機構２１は、回転切換え部材２２と、チャンバ２３とを有している。回転切換え部材２２は、第１送風ファン２０と同軸上に回転自在にチャンバ２３内部に取り付けられている。回転切換え部材２２は、２つの流路形成部２２ａおよび２２ｂと、それら流路形成部２２ａおよび２２ｂによって形成され、空気流れＡ１〜Ａ３の方向を定める流路２２ｃとを有している。ゴミ入口１０および下方ゴミ出口１２は、チャンバ２３に形成されている。また、チャンバ２３には、図６に示される給気モードにおける居室Ｒへの給気のための第１吹出口２３ａ、および図７に示される外気処理モードにおける空調部３への給気のための第２吹出口２３ｂが形成されている。
【００７４】
図５に示される空気流れＡ１は、居室Ｒから居室Ｒの外部へ排気する排気モードにおける空気流れであり、ゴミＧを排出することが可能である。図６に示される空気流れＡ２は、居室Ｒの外部から居室Ｒの内部へ給気する給気モードにおける空気流れであり、空調部３とは別に第１吹出口２３ａを通して居室Ｒへの外気の導入を行うことが可能である。図７に示される空気流れＡ３は、居室Ｒの外部から第２吹出口２３ｂを通して空調部３へ給気して、外気を室内空気と混合して空気調和する外気処理モードにおける空気流れであり、新鮮な外気を取り入れながらの冷暖房などの空気調和が可能になる。
【００７５】
第１送風ファン２０が図５〜図７において時計回りに回転することによって、流路２２ｃ内部の空気は、流路形成部２２ｂの表面に沿って流れることができるが、山形の流路形成部２２ａの付近では流れることができない。そのため、回転切換え部材２２がチャンバ２３内部で回転して図５、図６および図７に示されるそれぞれの角度で停止することにより、空気流れＡ１〜Ａ３を選択することが可能になる。したがって、ユーザの好みに応じて、ゴミＧの排出、外気の導入、または新鮮な外気を取り入れながらの空気調和という３つのモードを選択して行うことが可能になる。
【００７６】
回転切換え部材２２の角度の変更は、床置き空気調和装置１の操作パネルまたは操作リモコンを操作して排気モード、給気モードおよび外気処理モードのうちのいずれか１つを選択することによって、図５〜図７に示される各モードに対応する角度になるように制御される。
【００７７】
〔第３実施形態の特徴〕
（１）
第３実施形態の床置き空気調和装置１では、第１送風ファン２０および空気流れ切換え機構２１をさらに備えているので、排気モード、給気モード、外気処理モードを切り換えることが可能である。したがって、ゴミＧの排出、外気の導入、または新鮮な外気を取り入れながらの空気調和という３つのモードを選択して行うことが可能になる。
【００７８】
〔第３実施形態の変形例〕
（Ａ）
第３実施形態の床置き空気調和装置１では、空気流れ切換え機構２１によって、排気モード、給気モードおよび外気処理モードの３つのモードを切り換えているが、本発明はこれに限定されるものではなく、２つのモード、すなわち、図５に示される居室Ｒから居室Ｒの外部へ排気する排気モードにおける空気流れＡ１と、図６に示される居室Ｒの外部から居室Ｒの内部へ給気する給気モードにおける空気流れＡ２とを切り換えるようにしてもよい。この場合も、ゴミＧの排出および外気の導入のうちのいずれか１つのモードを選択して行うことが可能になる。
【００７９】
〔第４実施形態〕
本発明の第４実施形態に係る床置き空気調和装置１は、図８に示されるように、第１送風ファン２５および第２送風ファン２６をさらに備えている点で、第１実施形態の床置き空気調和装置１と異なっているが、その他の構成については第１実施形態の床置き空気調和装置１の構成と共通している。
【００８０】
第１送風ファン２５は、空調対象空間である居室Ｒと居室Ｒの外部との間の空気流れを生成するクロスフローファンである。第１送風ファン２５は、ゴミ排出部６の空間部７の内部に取り付けられている。第１送風ファン２５は、居室Ｒから居室Ｒの外部へ空気を排気する空気流れＡ０を生成する。
【００８１】
第２送風ファン２６は、第１送風ファン２５とは別に空調部３の下側に設けられ、空調対象空間である居室Ｒの外部から居室Ｒへ空気を吹出口２７を通して給気する空気流れＡ４を生成するクロスフローファンである。
【００８２】
居室Ｒの床面Ｆに有るゴミＧは、第１送風ファン２５によって生成される空気流れＡ０によって、ゴミ入口１０から空間部７を経由して出窓Ｂの下方側の下方ゴミ出口１２から居室Ｒの外部へ排出される。一方、第２送風ファン２６によって居室Ｒの外部から居室Ｒの内部へ給気する空気流れＡ４が生成されるので、空調部３とは別に居室Ｒへの外気の導入を行うことが可能である。
【００８３】
〔第４実施形態の特徴〕
（１）
第４実施形態に係る床置き空気調和装置１は、ゴミＧを排出する空気流れＡ０を生成する第１送風ファン２５をさらに備えているので、ホウキなどによってゴミＧを排出する作業が不要になり、居室Ｒの床面Ｆの清掃をさらに容易に行うことが可能である。それとともに、居室Ｒの外部から居室Ｒへ空気を給気する空気流れＡ４を生成する第２送風ファン２６が第１送風ファン２５とは別に設けられているので、空調部３とは別に居室Ｒへの外気の導入を行うことが可能である。
【００８４】
〔第４実施形態の変形例〕
（Ａ）
第４実施形態の床置き空気調和装置１では、第２送風ファン２６が空調部３の下側に設けられているが、本発明はこれに限定されるものではない。第４実施形態の変形例として、図９に示されるように、第２送風ファン２６を空調部３の上側に設けてもよい。この場合、第２送風ファン２６によって外気を導入する空気流れＡ４をケース２の正面上側の吹出口９から居室Ｒへ吹き出すことが可能になる。
【００８５】
〔第５実施形態〕
本発明の第５実施形態に係る床置き空気調和装置１は、図１０に示されるように、第１送風ファン２５、第２送風ファン２６および熱交換器３３をさらに備えている点で、第１実施形態の床置き空気調和装置１と異なっているが、その他の構成については第１実施形態の床置き空気調和装置１の構成と共通している。
【００８６】
第１送風ファン２５は、空調対象空間である居室Ｒと居室Ｒの外部との間の空気流れを生成するクロスフローファンである。第１送風ファン２５は、居室Ｒから居室Ｒの外部へ空気を排気する空気流れＡ５を生成する。空気流れＡ５は、ゴミ入口１０から入って、空間部７および熱交換器３３を通過して、吹出口３５から居室Ｒの外部に出る。
【００８７】
第２送風ファン２６は、第１送風ファン２５とは別に空調部３の下側に設けられ、空調対象空間である居室Ｒの外部から居室Ｒへ空気を吹出口３６を通して給気する空気流れＡ６を生成するクロスフローファンである。空気流れＡ６は、吸込口３７から入って、空間部７および熱交換器３３を通過して、吹出口３６から居室Ｒの内部に出る。
【００８８】
居室Ｒの床面Ｆに有るゴミＧは、第１送風ファン２５によって生成される空気流れＡ５によって、ゴミ入口１０から空間部７に吸い込まれる。その後、ゴミＧは、その自分の重量によって、あるいは熱交換器３３のフィルタ（図示せず）によって空気流れＡ５と分離され、矢印Ｂ２方向に沿って出窓Ｂの下方側の下方ゴミ出口１２から居室Ｒの外部へ排出される。
【００８９】
一方、第２送風ファン２６によって居室Ｒの外部から居室Ｒの内部へ給気する空気流れＡ６が生成されるので、空調部３とは別に居室Ｒへの外気の導入を行うことが可能である。
【００９０】
熱交換器３３は、第１送風ファン２５によって排気される空気流れＡ５による排出空気と第２送風ファン２６によって給気される空気流れＡ６による吸入空気との間において熱交換、具体的には全熱交換または顕熱交換のいずれかの熱交換を行う。
【００９１】
〔第５実施形態の特徴〕
（１）
第１実施形態の床置き空気調和装置１では、ゴミＧを排出する空気流れＡ５を生成する第１送風ファン２５をさらに備えているので、ホウキなどによってゴミＧを排出する作業が不要になり、居室Ｒの床面Ｆの清掃をさらに容易に行うことが可能である。
【００９２】
それとともに、居室Ｒの外部から居室Ｒへ空気を給気する空気流れＡ６を生成する第２送風ファン２６が第１送風ファン２５とは別に設けられているので、空調部３とは別に居室Ｒへの外気の導入を行うことが可能である。
【００９３】
（２）
さらに、床置き空気調和装置１は、熱交換器３３をさらに備えているので、第１送風ファン２５によって排気される空気流れＡ５による排出空気と第２送風ファン２６によって給気される空気流れＡ６による吸入空気との間において熱交換を行うので、床置き空気調和装置１の空調性能を向上させることが可能になる。
【００９４】
〔第６実施形態〕
本発明の第６実施形態に係る床置き空気調和装置１は、図１１および図１２に示されるように、第１送風ファン２５、第２送風ファン２６、熱交換器３３、および第１送風ファン２５による空気流れを切り換えるダンパ３４をさらに備えている点で、第１実施形態の床置き空気調和装置１と異なっているが、その他の構成については第１実施形態の床置き空気調和装置１の構成と共通している。
【００９５】
第１送風ファン２５は、空調対象空間である居室Ｒと居室Ｒの外部との間の空気流れを生成するクロスフローファンである。第１送風ファン２５は、ゴミ排出部６の空間部７の内部に取り付けられている。第１送風ファン２５は、居室Ｒから居室Ｒの外部へ空気を排気する空気流れＡ５またはＡ７のいずれかを生成する。空気流れＡ５およびＡ７は、ダンパ３４の位置を変えることによって切り換えられる。空気流れＡ５は、ゴミ入口１０から入って、ダンパ３４によって下方ゴミ出口１２への流れを止められることによって空間部７および熱交換器３３を通過して、吹出口３５から居室Ｒの外部に出る。空気流れＡ７は、ゴミ入口１０から入って、ダンパ３４によって熱交換器３３および吹出口３５への流れを止められることによって空間部７を通過して下方ゴミ出口１２から居室Ｒの外部に出る
第２送風ファン２６は、第１送風ファン２５とは別に空調部３の下側に設けられ、空調対象空間である居室Ｒの外部から居室Ｒへ空気を給気する空気流れＡ６を生成するクロスフローファンである。空気流れＡ６は、吸込口３７から入って、空間部７および熱交換器３３を通過して、吹出口３６から居室Ｒの内部に出る。
【００９６】
居室Ｒの床面Ｆに有るゴミＧは、第１送風ファン２５によって生成される空気流れＡ７によって、ゴミ入口１０から空間部７に吸い込まれ、空気流れＡ５とともに出窓Ｂの下方側の下方ゴミ出口１２から居室Ｒの外部へ排出される。
【００９７】
一方、第２送風ファン２６によって居室Ｒの外部から居室Ｒの内部へ給気する空気流れＡ６が生成されるので、空調部３とは別に居室Ｒへの外気の導入を行うことが可能である。
【００９８】
熱交換器３３は、第１送風ファン２５によって排気される空気流れＡ５による排出空気と第２送風ファン２６によって給気される空気流れＡ６による吸入空気との間において、熱交換、具体的には全熱交換または顕熱交換のいずれかの熱交換を行う。
【００９９】
ダンパ３４は、空気流れＡ５およびＡ７を切り換える合成樹脂製の平板状の部材であり、ゴミ排出部６の下部にスライド自在に回転自在に取り付けられている。ダンパ３４は、図示しない駆動手段によって図１０および図１１に示される位置にスライド移動し、それによって空気流れＡ５およびＡ７の切換えが可能になる。したがって、ダンパ３４によって、図１１に示されるゴミＧを居室Ｒの外部に排出するゴミ排出モードと、図１０に示されるゴミＧを排出しないで居室Ｒの内部の空気の給排気を行なう給排気モードとを切り換えることが可能になる。
【０１００】
〔第６実施形態の特徴〕
（１）
第１実施形態の床置き空気調和装置１は、ゴミＧを排出する空気流れＡ７を生成する第１送風ファン２５をさらに備えているので、ホウキなどによってゴミＧを排出する作業が不要になり、居室Ｒの床面Ｆの清掃をさらに容易に行うことが可能である。
【０１０１】
それとともに、居室Ｒの外部から居室Ｒへ空気を給気する空気流れＡ６を生成する第２送風ファン２６が第１送風ファン２５とは別に設けられているので、空調部３とは別に居室Ｒへの外気の導入を行うことが可能である。
【０１０２】
（２）
さらに、床置き空気調和装置１は、熱交換器３３をさらに備えているので、第１送風ファン２５によって排気される空気流れＡ５による排出空気と第２送風ファン２６によって給気される空気流れＡ６による吸入空気との間において熱交換を行うので、床置き空気調和装置１の空調性能を向上させることが可能になる。
【０１０３】
（３）
また、床置き空気調和装置１は、モード切換え手段として、ダンパ３４をさらに備えているので、ダンパ３４によって、図１２に示されるゴミＧを居室Ｒの外部に排出するゴミ排出モードと、図１１に示されるゴミＧを排出しないで居室Ｒの内部の空気の給排気を行なう給排気モードとを切り換えることが可能になる。
【産業上の利用可能性】
【０１０４】
本発明は、空調対象空間の床面に設置された床置き空気調和装置について広く適用することが可能である。
【図面の簡単な説明】
【０１０５】
【図１】本発明の第１実施形態に係わる床置き空気調和装置の斜視図。
【図２】図２の床置き空気調和装置の断面図。
【図３】本発明の第２実施形態に係わる床置き空気調和装置の断面図。
【図４】本発明の第２実施形態の変形例に係わる床置き空気調和装置の断面図。
【図５】本発明の第３実施形態に係わる床置き空気調和装置の排気モードの状態を示す断面図。
【図６】図５の床置き空気調和装置の給気モードの状態を示す断面図。
【図７】図５の床置き空気調和装置の外気処理モードの状態を示す断面図。
【図８】本発明の第４実施形態に係わる床置き空気調和装置の断面図。
【図９】本発明の第４実施形態の変形例に係わる床置き空気調和装置の断面図。
【図１０】本発明の第５実施形態に係わる床置き空気調和装置の断面図。
【図１１】本発明の第６実施形態に係わる床置き空気調和装置の給排気モードの状態を示す断面図。
【図１２】図１１の床置き空気調和装置のゴミ排出モードの状態を示す断面図。
【符号の説明】
【０１０６】
１  床置き空気調和装置
２  ケース
３  空調部
６  ゴミ排出部
１０  ゴミ入口
１２  下方ゴミ出口
１４、２０、２５  第１送風ファン
１６  側方ゴミ出口
２１  空気流れ切換え機構
２６  第２送風ファン
【図１】
2008014608.tif 000003
【図２】
2008014608.tif 000004
【図３】
2008014608.tif 000005
【図４】
2008014608.tif 000006
【図５】
2008014608.tif 000007
【図６】
2008014608.tif 000008
【図７】
2008014608.tif 000009
【図８】
2008014608.tif 000010
【図９】
2008014608.tif 000011
【図１０】
2008014608.tif 000012
【図１１】
2008014608.tif 000013
【図１２】
2008014608.tif 000014